(57)【特許請求の範囲】
【請求項１】
順に、シート層２０と粘着剤層３０と不織布層からなり、前記不織布層は、粘着剤層側の不織布層には粘着剤が付着した不織布層５０と、前記不織布層５０を介して、粘着剤が付着していない不織布層４０からなり、粘着剤が付着していない不織布層４０の表面よりダニ類を侵入させ、コロニーを作らせ、さらにダニの本能により不織布層の奥深く侵入したところで、粘着剤が付着した不織布層５０の粘着剤によりダニ類を捕獲する鶏舎用ダニ類増殖抑制シート。

【請求項２】
請求項１に記載した鶏舎用ダニ類増殖抑制シートを、粘着剤が付着していない不織布層４０が鶏舎のケージの針金、餌樋、補強パイプのいずれかに接するように設置することを特徴とするダニ類増殖抑制方法。
【発明の詳細な説明】
【技術分野】
【０００１】
本発明は、ダニ類増殖抑制シートに関し、とくに鶏舎におけるワクモ、トリサシダニから鶏を保護するためのダニ類増殖抑制シートに関するものである。
【背景技術】
【０００２】
鶏舎で吸血ダニ（名称：ワクモ）の発生事例が増加している。吸血ダニ（名称：ワクモ）に、ニワトリが血を吸われることで、卵を産む数が減り、最悪の場合ストレスで死ぬこともある。
また人にも吸血する為、鶏舎で働く人の離職率が高くなっている。当初殺虫剤で対処していたが、耐薬品性をもった個体が出現し、対処に苦慮している現状が有る。
ワクモは夜行性で、夜はニワトリの血を吸う為トリに寄生し、日中はパイプのつなぎ目や小さな隙間で集塊を作ることが判明している。
【０００３】
特許文献１には、捕獲具１は、図１に示すように、ダニ等を誘引する誘引用シート２に誘引したダニ等を確認するための透視状の観察部４を設けてダニ等を誘引用シート２に誘引し、観察部４でダニ等の確認ができたら誘引したダニ等を死滅させる殺虫剤を付着した殺虫用シート２または粘着用シートを挿着してダニ等を死滅させるようにしているもので、ダニ等を誘引するために誘引剤を塗布または含浸した誘引用シート２の上面側にダニ等が侵入しやすい布材や不織布等のベースシート５を重ね合わせ、このシートカバー３の一部にダニ等を確認するための透明なフィルムの観察部４を設けるとともに、誘引用シート２の下面側にベースシート５を重ね合わせてベースシート５にスリット６やポケット口等を設けて殺虫用シートや粘着用シートを挿着するように形成していることが記載されている。しかし、捕獲具１は必然的に、誘引用シートに誘引したダニ等の害虫を確認するための透視状等の観察部を設けるとともに、誘引したダニ等の害虫を死滅させる殺虫剤を付着した殺虫用シートまたは粘着用シートを配設するように形成する必要があり、構造が複雑で、誘引剤や殺虫剤を必要としているため、ダニから保護すべき鶏等の家畜にとっても、害が出る恐れが多分にある。
【０００４】
特許文献２には、天然ゴムおよび／または合成ゴムを主成分とし、さらにロジン系樹脂、テルペン系樹脂、合成石油樹脂、フェノール系樹脂、キシレン系樹脂、脂環族系石油樹脂、クマロンインデン樹脂、スチレン系樹脂、ジシクロペンタジエン樹脂から選ばれる少なくとも一種の粘着付与樹脂を含有するゴム系粘着剤からなることを特徴とするダニ捕獲用粘着剤組成物が開示され、これを用いて、支持体上に層状に形成してなるダニ捕獲用粘着シートを作成することが開示されている。しかし、ここにはシートとして不織布を用いることが例示されているものの、不織布がダニ捕獲にとくに適しているという実施例は開示されていない。
【先行技術文献】
【特許文献】
【０００５】
【特許文献１】特開２００４−２１５５７７号公報
【特許文献２】特開２００１−１２８６０７号公報
【発明の概要】
【発明が解決しようとする課題】
【０００６】
本件発明は、ダニ類増殖抑制シートに関し、とくに鶏舎におけるワクモ、トリサシダニから鶏を保護するためのダニ類増殖抑制シートを提供する。
本発明者は、ワクモの生態を観察した結果、ワクモは夜行性であり、昼間は鶏舎のケージの針金接合部や餌樋と取り付け金具の隙間や補強パイプ取り付け金具の隙間等に隠れており、夜になると鶏舎内に侵入して鶏に取り付く。そこで本発明者は、ワクモがコロニーを作りやすい不織布を用い、不織布の一部のみに粘着剤を浸透させて、ワクモが不織布の奥深く侵入したところで粘着剤により捕獲する試みをしたところ、簡単な構造で、多くのワクモを捕獲できることを見出し、本発明を完成させるに至った。
【課題を解決するための手段】
【０００７】
すなわち、本発明は、順に、シート層２０と粘着剤層３０と不織布層からなり、前記不織布層は、粘着剤層側の不織布層には粘着剤が付着した不織布層５０と、前記不織布層５０を介して、粘着剤が付着していない不織布層４０からなり、粘着剤が付着していない不織布層４０の表面よりダニ類を侵入させ、コロニーを作らせ、さらにダニの本能により不織布層の奥深く侵入したところで、粘着剤が付着した不織布層５０の粘着剤によりダニ類を捕獲する鶏舎用ダニ類増殖抑制シートである。
また、本発明は、上記の鶏舎用ダニ類増殖抑制シートを、粘着剤が付着していない不織布層４０が鶏舎のケージの針金、餌樋、補強パイプのいずれかに接するように設置することを特徴とするダニ類増殖抑制方法である。
【発明の効果】
【０００８】
本発明のダニ類増殖抑制シートは、構造が簡単なため安価に製造できるばかりか、量産に適しており、しかも粘着剤が付着していない不織布層の表面よりダニ類を侵入させ、コロニーを作らせ、さらにダニの本能により不織布層の奥深く侵入したところで、粘着層によりダニ類を捕獲することができ、とくにワクモに対して有効であり、鶏舎を安全に管理することが出来る。また、今までの粘着シートで有れば、粘着部が露出している事で害虫を捕獲していたため、誤って衣服やペット、農作物に貼り付く事が有ったが、このシートの粘着部は不織布と接着し露出していない為、衣服等に貼りつく心配はなく、設置の際直接パイプ等に設置しても粘着剤がパイプに残る事は無く、非常に扱いやすい。
【図面の簡単な説明】
【０００９】
【図１】図１は先行文献１における説明図。
【図２】本発明の一例のダニ類増殖抑制シート断面図。
【図３】本発明の一例のダニ類増殖抑制シート断面図。
【図４】本件発明の実施例１における設置４日後のワクモ捕獲状況。
【００１０】
以下、本発明に係るダニ類増殖抑制シートの形態を説明する。
本発明で用いるシート層に用いるシートは、ポリエチレン、ポリプロピレン、ポリエステル、ポリ塩化ビニル等の合成樹脂シート、およびそれらを紙と貼り合わせた、貼り合わせシートを挙げることが出来る。シートの厚さは、０．０３ｍｍ〜０．５ｍｍの範囲が適している。シートは、不透明なものが望ましいが、透明であっても差し支えない。また、シートは着色していても、着色していなくとも良い。
本発明で用いる粘着剤としては、通常、粘着テープに用いられる粘着剤を用いることが出来る。天然ゴム系、合成ゴム系、アクリル系のものを用いることが出来る。また、スプレー塗装に適したものを用いることが出来る。例えば、特開２０１３−０１４６６６号公報に記載された粘着剤が好適に用いることが出来る。粘着剤層の厚さは、０．０１〜０．５ｍｍが適当であり、一部不織布層に食い込んでいるものが好ましい。ダニ類とくにワクモは不織布層の奥深く侵入する本能があり、粘着剤が付着していない不織布層の表面よりダニ類を侵入させ、不織布の奥深いところで捕獲することが出来る。
本発明で用いる不織布層としては、ポリエチレン、ポリプロピレン等のポリオレフィン系、ポリエステル系、レーヨン、ポリビニルアルコール、ポリアミド、アクリル等の合成繊維不織布や木材パルプ、マニラ麻等の天然パルプ繊維不織布などが挙げられる。また、通気性の高い不織布が用いられる。
不織布層の厚さは、２ｍｍ〜１２ｍｍが適当であり、とくに３ｍｍ〜５ｍｍが好ましい。
【実施例１】
【００１１】
（参考例１）
シート層２０の片側表面に、粘着剤を塗装することにより粘着層３０を設け、その上に不織布層４０を設けて三層を軽く加圧することにより一体化するダニ類増殖抑制シートの製造方法の例を示す（図２参照）。
厚さ０．１ｍｍのポリエステル製のシート上に、熱溶融合成ゴム系粘着剤を厚さ０．０８
ｍｍとなるように、熱溶融粘着剤塗工機にて塗付した。次いで、厚さ３ｍｍポリエステル
系不織布を、加圧ロール圧力を低くして貼り合わせ一体化して、ダニ類増殖抑制シートを
作成した。
一体化したダニ類増殖抑制シートの不織布側表面には、粘着剤が付着していなかった。
【実施例２】
【００１２】
（実施例１）
不織布層４０の片側表面に、熱溶融スプレー塗装により粘着剤を不織布内部の一部まで粘
着剤が入り込んでいる層５０を設けた粘着剤層３０を塗布し、粘着剤が塗布された不織布
の片側表面にシート層２０を軽く加圧することにより一体化する、鶏舎用ダニ類増殖抑制シートの製造方法の例を示す（図３参照）。
厚さ４ｍｍのポリエステル系不織布の片面に、熱溶融スプレー塗装により熱溶融合成ゴム
系粘着剤を吹き付け、不織布内部の一部まで粘着剤が入り込んでいる層５０を設けた粘着
剤層３０を塗布した。次いで厚さ０．１ｍｍのポリエチレンラミネート紙を、加圧ロール
圧力を低くして貼り合わせ一体化して、鶏舎用ダニ類増殖抑制シートを作成した。
一体化した鶏舎用ダニ類増殖抑制シートの不織布側表面には、粘着剤が付着していなかった。
【実施例３】
【００１３】
（実施例２）
不織布層４０の片側表面に、粘着スプレーによる液状の粘着剤を塗布することにより、不織布内部の一部まで粘着剤が入り込んでいる層５０を設けた粘着剤層３０を塗布し、粘着剤が塗布された不織布の片側表面にシート層２０を軽く加圧することにより一体化する、鶏舎用ダニ類増殖抑制シートの製造方法の例を示す。
厚さ４ｍｍのポリエステル系不織布の片面に、エアゾール缶に封入した合成ゴム系粘着スプレーを吹き付け、不織布内部の一部まで粘着剤が入り込んでいる層５０を設けた粘着剤層３０を塗布した。次いで厚さ０．０５ｍｍのポリエチレンシートをかぶせて、手で軽く押さえて一体化して、ダニ類増殖抑制シートを作成した。
一体化したダニ類増殖抑制シートの不織布側表面には、粘着剤が付着していなかった。
【００１４】
参考例１、実施例１〜２で得られた鶏舎用ダニ類増殖抑制シートを、夏季の鶏舎において、ダニ類（ワクモ）を捕獲すべく、洗濯ばさみや粘着テープ等を用いて、不織布側が鶏舎の餌樋、補強パイプに接するように巻き付けるように設置した。
その結果を表１に示す。また、参考例１の４日後の状況を図４に示す。
【００１５】
0005854481.tif 000002
【００１６】
表１中の記号は以下のとおりである。
×ダニの死骸を発見できず。
△ダニの死骸がまばらにいる。
○ダニの死骸がかなりいる。
◎ダニの死骸がコロニーを形成している。
【産業上の利用可能性】
【００１７】
上記の結果のように、本発明のダニ類増殖抑制シートは、簡単な構造で、とくに鶏舎におけるワクモに有効であり、養鶏産業上欠かせないものである。
【符号の説明】
【００１８】
１    捕獲具
２    誘引用シート
３    シートカバー
４    観察部
５    ベースシート
６    スリット６
１０    捕獲具
２０    シート層
３０    粘着剤層
４０    不織布層
５０    不織布に粘着剤が入り込んでいる層
【図１】
0005854481.tif 000003
【図２】
0005854481.tif 000004
【図３】
0005854481.tif 000005
【図４】
0005854481.tif 000006